(57)【要約】【課題】ロングテールの振動の発生を抑制するとともに、ロングテールの交換等を簡易に行うことが可能なＨＳＡを提供する。【解決手段】キャリッジアーム３６Ａは長円穴３６Ａａを有し、押さえ部材６０Ａはこの長円穴に係合する爪部７６Ａ，７６Ｂを有し、押さえ部材は、爪部と長円穴の係合によりキャリッジアームに固定される。また、押さえ部材の凸部７２と、キャリッジアームの凹部３６Ａｂとが嵌合する際の対向面間にてロングテール５５Ａが押さえられる。したがって、キャリッジアームと押さえ部材とにより挟まれた状態で、信号中継部材が押さえられるので、信号中継部材の移動（ずれ）が抑制される。また、押さえ部材はキャリッジアームに対して、爪部と長円穴との係合により固定されるので、係合を解除することにより、押さえ部材を容易に取り外すことができる。【選択図】図５
2009283115.tif 000002
【特許請求の範囲】
【請求項１】
ヘッドスライダと、前記ヘッドスライダとの間で信号のやりとりを行うヘッドＩＣとを保持し、前記ヘッドスライダと前記ヘッドＩＣとの間に第１係合部を有するキャリッジアームと、
前記キャリッジアームに設けられ、前記ヘッドスライダと前記ヘッドＩＣとの間で信号を中継する信号中継部材と、
前記第１係合部と係合する第２係合部を有し、前記第１係合部と前記第２係合部との係合により前記キャリッジアームに固定される押さえ部材と、を備え、
前記信号中継部材は、前記キャリッジアームと前記押さえ部材のいずれか一方が有する凸部と、他方が有する前記凸部に嵌合可能な凹部との対向面間にて押さえられることを特徴とするキャリッジアーム組立体。
【請求項２】
前記凸部は、前記信号中継部材の長手方向に延びる第１面と第２面とを有し、
前記第１面と当該第１面と対向する前記凹部の面との間、前記第２面と当該第２面と対向する前記凹部の面との間の少なくとも一方で、前記信号中継部材が押さえられることを特徴とする請求項１に記載のキャリッジアーム組立体。
【請求項３】
前記凸部の前記第１面と前記第２面は、平面又は曲面であることを特徴とする請求項２に記載のキャリッジアーム組立体。
【請求項４】
前記押さえ部材は、前記第１面側と前記第２面側とで、別々の前記信号中継部材を押さえることを特徴とする請求項２又は３に記載のキャリッジアーム組立体。
【請求項５】
前記第２係合部は、前記押さえ部材の一部に設けられた爪部であり、
前記第１係合部は、前記キャリッジアームに設けられた、前記爪部が引っ掛かり可能なエッジ部であることを特徴とする請求項１〜４のいずれか一項に記載のキャリッジアーム組立体。
【請求項６】
前記爪部は、前記押さえ部材が前記キャリッジアームに固定された状態で当該キャリッジアームを介して対向する位置に一対設けられ、
前記押さえ部材には、外部からの力を受けて前記一対の爪部の間隔を広げる取っ手部が設けられていることを特徴とする請求項５に記載のキャリッジアーム組立体。
【請求項７】
ディスク媒体と、
前記ディスク媒体に対するデータの記録・再生を行うヘッドスライダを有する請求項１〜６のいずれか一項に記載のキャリッジアーム組立体と、を備えるディスク装置。
【請求項８】
キャリッジアームに設けられたアーム側係合部と係合する押さえ部材側係合部と、
前記アーム側係合部と前記押さえ部材側係合部とが係合した状態で、前記キャリッジアームに設けられた凸部又は凹部に嵌合する嵌合部と、を備え、
前記嵌合部は、前記キャリッジアームの凸部又は凹部と対向する部分にて信号中継部材を押さえることを特徴とする押さえ部材。
【発明の詳細な説明】
【技術分野】
【０００１】
本発明はキャリッジアーム組立体及びディスク装置、並びに押さえ部材に関し、特に信号中継部材を有するキャリッジアーム組立体及び当該キャリッジアーム組立体を備えるディスク装置、並びにキャリッジアームに対して信号中継部材を押さえる押さえ部材に関する。
【背景技術】
【０００２】
近年、データの記録・再生を行うディスク装置では、高記録密度化による高速転送化が進められている。また、これに伴い、ヘッドスライダを保持し、信号を伝達する配線を有するサスペンションとキャリッジアームとが組み立てられたキャリッジアーム組立体（ヘッド・スタック・アッセンブリ（ＨＳＡ））の形態が変化してきている。具体的には、近年、キャリッジアーム組立体は、サスペンションと一体化した信号中継部材（延長配線部）が短いショートテールタイプから、サスペンションと一体化した信号中継部材が長いロングテールタイプに移行してきている。
【０００３】
このロングテールタイプの信号中継部材を採用した場合、ディスクの回転速度の高速化に伴って信号中継部材付近を通過する高速の気流により信号中継部材に振動が発生しやすい。このため、磁気ヘッドが励振し、高密度記録のための位置決め精度が低下するおそれがある。したがって、高密度記録を実現するためには、信号中継部材の振動を抑制することが好ましい。
【０００４】
これに対し、最近では、信号中継部材の振動を低減させるため、ロングテールタイプの信号中継部材をキャリッジアームに密接させて、当該密接部分に接着剤を滴下し、信号中継部材をキャリッジアームに接着する手法がとられている。
【０００５】
しかるに、キャリッジアーム組立体を組み立てた後に行われるヘッドの特性試験が不良であった場合には信号中継部材をキャリッジアームから一旦取り外す必要がある。このため、上記のような接着を行ってしまうと、取り外しの際には、信号中継部材をキャリッジアームから引き剥がさなければならない。この場合、ロングテールを引き剥がした部分に接着剤が残ってしまい、当該接着剤の除去に手間が掛かるおそれがある。
【０００６】
これを解消するために、最近では、キャリッジサイドにある延長配線部保持部の中で延長配線部をばね部材の反発力で保持部の溝の中央に保持する技術が提案されている（例えば、特許文献１参照）。また、アクチュエータアームに、ロングテールを保持するためのスリットを設け、ロングテールとスリットとの間にフリクションを生じさせることによって、両者間を与圧係止する技術も提案されている（例えば、特許文献２参照）。
【０００７】
【特許文献１】特開２００５−２４３１７１号公報
【特許文献２】特開２００７−１７９６８３号公報
【発明の開示】
【発明が解決しようとする課題】
【０００８】
しかしながら、特許文献１の技術では、厚さの薄いばね部材（例えば厚さ数十μｍのばね部材）の弾性力のみを利用することから、延長配線部保持部に対する延長配線部の固定が不十分で、振動抑制効果があまり得られないおそれがある。
【０００９】
また、特許文献２に記載の技術でも、アクチュエータアームとロングテールを完全には固定しないため、ディスクの回転速度によっては、振動抑制が不十分であるおそれもある。
【００１０】
そこで本発明は上記の課題に鑑みてなされたものであり、信号中継部材の振動を抑制するとともに、信号中継部材の交換を容易に行うことが可能なキャリッジアーム組立体を提供することを目的とする。また、本発明は、データ記録の高密度化を図ることが可能なディスク装置を提供することを目的とする。更に、本発明は、信号中継部材をキャリッジアームに対して押さえることが可能な押さえ部材を提供することを目的とする。
【課題を解決するための手段】
【００１１】
上記課題を解決するために、本明細書開示のキャリッジアーム組立体は、ヘッドスライダと、前記ヘッドスライダとの間で信号のやりとりを行うヘッドＩＣとを保持し、前記ヘッドスライダと前記ヘッドＩＣとの間に第１係合部を有するキャリッジアームと、前記キャリッジアームに設けられ、前記ヘッドスライダと前記ヘッドＩＣとの間で信号を中継する信号中継部材と、前記第１係合部と係合する第２係合部を有し、前記第１係合部と前記第２係合部との係合により前記キャリッジアームに固定される押さえ部材と、を備え、前記信号中継部材は、前記キャリッジアームと前記押さえ部材のいずれか一方が有する凸部と、他方が有する前記凸部に嵌合可能な凹部との対向面間にて押さえられる。
【００１２】
これによれば、キャリッジアームは第１係合部を有し、押さえ部材はこの第１係合部に係合する第２係合部を有し、押さえ部材は、第２係合部と第１係合部との係合によりキャリッジアームに固定される。また、キャリッジアームと押さえ部材とのいずれか一方が有する凸部と、他方が有する凹部とが嵌合する際の対向面間にてヘッドスライダとヘッドＩＣとの間で信号を中継する信号中継部材が、押さえられる。したがって、キャリッジアームと押さえ部材とにより挟まれた状態で、信号中継部材が押さえられるので、信号中継部材の移動（ずれ）が抑制され、これにより、信号中継部材の振動の発生を抑制することができる。また、押さえ部材はキャリッジアームに対して、第１、第２係合部の係合により固定されるので、係合を解除することにより、押さえ部材を簡易に取り外すことができる。これにより、信号中継部材の交換等を簡易に行うことが可能となる。
【００１３】
また、本明細書開示のディスク装置は、ディスク媒体と、前記ディスク媒体に対するデータの記録・再生を行うヘッドスライダを有する上記キャリッジアーム組立体と、を備える。
【００１４】
これによれば、信号中継部材の振動の発生が抑制されたキャリッジアーム組立体を備えているので、信号中継部材の振動抑制により、データ記録の高密度化を図ることができる。また、信号中継部材の交換が容易なキャリッジアーム組立体を備えていることにより、装置の初期不良や故障からの復旧を簡易に行うことができる。
【００１５】
また、本明細書開示の押さえ部材は、キャリッジアームに設けられたアーム側係合部と係合する押さえ部材側係合部と、前記アーム側係合部と前記押さえ部材側係合部とが係合した状態で、前記キャリッジアームに設けられた凸部又は凹部に嵌合する嵌合部と、を備え、前記嵌合部は、前記キャリッジアームの凸部又は凹部と対向する部分にて信号中継部材を押さえる。
【００１６】
これによれば、キャリッジアームに固定された状態で、嵌合部とキャリッジアームに設けられた凸部又は凹部の対向面間にて信号中継部材を押さえるので、信号中継部材をキャリッジアームに対して強固に押さえることができる。また、アーム側係合部と押さえ部材側係合部との間の係合を解除するのみで、信号中継部材をキャリッジアームに対して押さえた状態を解除できるので、簡易に信号中継部材の取り外しや交換を行うことができる。
【発明の効果】
【００１７】
本明細書に開示のキャリッジアーム組立体は、信号中継部材の振動を抑制するとともに、信号中継部材の交換を容易に行うことができるという効果を奏する。また、本明細書に開示のディスク装置は、データ記録の高密度化を図ることができるという効果を奏する。更に、本明細書に開示の押さえ部材は、信号中継部材をキャリッジアームに対して押さえ、かつ取り外しを容易に行い得るという効果を奏する。
【発明を実施するための最良の形態】
【００１８】
以下、本発明の一実施形態について図１〜図７に基づいて詳細に説明する。
【００１９】
図１は、一実施形態に係るディスク装置としてのハードディスクドライブ（ＨＤＤ）１００の内部構成を示している。この図１に示すように、ＨＤＤ１００は、箱型の筺体１０と、筺体１０内部の空間（収容空間）に収容された２枚の磁気ディスク１２Ａ、１２Ｂ（図１では、磁気ディスク１２Ｂは磁気ディスク１２Ａの裏面側に隠れた状態となっている）、スピンドルモータ１４、キャリッジアーム組立体としてのヘッド・スタック・アッセンブリ（ＨＳＡ）２０等と、を備える。なお、筺体１０は、実際には、ベースと上蓋（トップ・カバー）とにより構成されているが、図１では、図示の便宜上、ベースのみを図示している。なお、本実施形態では、２枚の磁気ディスクを搭載しているが、磁気ディスクは単数であっても３枚以上であっても良い。したがって、以下で説明するＨＳＡの説明も、２枚の磁気ディスクを搭載している場合のものであるが、これに限定されるものではない。
【００２０】
磁気ディスク１２Ａ，１２Ｂは、表面と裏面のそれぞれが記録面となっており、両磁気ディスクは、スピンドルモータ１４によって、その回転軸回りに一体となって、例えば４２００〜１５０００ｒｐｍなどの高速度で回転駆動される。磁気ディスク１２Ａ，１２Ｂは、例えばアルミニウムやガラスにより形成される基板の両面に、Ｃｒ合金系などの下地層、ＣｏＣｒ系合金から成る磁性層、ＤＬＣ（ダイヤモンド・ライク・カーボン膜）などの保護膜、及びパーフルオロポリエーテルを主鎖として末端基が水酸基（−ＯＨ）、ベンゼン環等よりなる有機系液体潤滑剤を用いて形成される潤滑層が、順に積層されて構成されている。
【００２１】
図２（ａ）には、ＨＳＡ２０の平面図が示されている。なお、以下においては、ＨＳＡ２０の短手方向をＸ軸方向、長手方向をＹ軸方向、これらＸ，Ｙ軸方向に直交する方向をＺ軸方向として説明するものとする。また、図２（ｂ）には、ＨＳＡ２０を＋Ｘ方向から−Ｘ方向に見た状態が示されている。
【００２２】
これらの図からわかるように、ＨＳＡ２０は、円筒形状のハウジング部３０と、ハウジング部３０の−Ｙ側の端部に固定されたフォーク部３２と、フォーク部３２に保持されたコイル３４と、高さ方向（Ｚ軸方向）に関して所定間隔で、ハウジング部３０に固定された３つのキャリッジアーム３６Ａ，３６Ｂ，３６Ｃと、これら３つのキャリッジアーム３６Ａ〜３６Ｃにより保持された４つのヘッドスライダ１６Ａ，１６Ｂ，１６Ｃ，１６Ｄと、ハウジング部３０の側壁部に設けられたヘッドＩＣ５２と、を備えている。このＨＳＡ２０は、ハウジング部３０の中心部分に設けられた軸受部材１８を介して、筺体１０に回転自在（Ｚ軸回りの回転が自在）に連結されている。また、ＨＳＡ２０が有するコイル３４と、図１に示す永久磁石を含む磁極ユニット２４（筺体１０に固定）とにより構成されるボイスコイルモータ５０により、ＨＳＡ２０の軸受部材１８を中心とした揺動が行われる。なお、図１では、揺動の軌道が、一点鎖線にて示されている。
【００２３】
キャリッジアーム３６Ａ〜３６Ｃは、例えばステンレス板を打ち抜き加工したり、アルミニウム材料を押し出し加工することにより成型される。これらキャリッジアーム３６Ａ〜３６Ｃには、図２（ａ）に示すように、第１係合部（アーム側係合部）としての長円穴３６Ａａ〜３６Ｃａがそれぞれ形成されている。また、キャリッジアーム３６Ａ〜３６Ｃの＋Ｘ側の側壁には、図２（ａ）や図３（ａ）〜図３（ｃ）からわかるように、Ｖ字状の凹部（スリット）３６Ａｂ〜３６Ｃｂが形成されている。
【００２４】
ヘッドスライダ１６Ａは、図３（ａ）の分解斜視図に示すように、キャリッジアーム３６Ａにベースプレート３８Ａを介して設けられたヘッドサスペンション４０Ａの＋Ｙ端部の下面側に設けられている。また、図３（ｂ）の分解斜視図に示すように、ヘッドスライダ１６Ｂは、キャリッジアーム３６Ｂにベースプレート３８Ｂを介して設けられたヘッドサスペンション４０Ｂの＋Ｙ端部の上面側に設けられている。同様に、ヘッドスライダ１６Ｃは、キャリッジアーム３６Ｂにベースプレート３８Ｃを介して設けられたヘッドサスペンション４０Ｃの＋Ｙ端部の下面側に設けられている。更に、ヘッドスライダ１６Ｄは、図３（ｃ）の分解斜視図に示すように、キャリッジアーム３６Ｃにベースプレート３８Ｄを介して設けられたヘッドサスペンション４０Ｄの＋Ｙ端部の上面側に設けられている。ヘッドスライダ１６Ａ、１６Ｂは、図２（ｂ）に示すように、磁気ディスク１２Ａを介して上下に（Ｚ軸方向に関して）対向し、ヘッドスライダ１６Ｃ，１６Ｄは、磁気ディスク１２Ｂを介して上下に（Ｚ軸方向に関して）対向する。
【００２５】
ヘッドスライダ１６Ａ〜１６Ｄは、記録素子と再生素子とを含む記録再生ヘッドを有している。記録素子は、例えば、薄膜コイルパターンで生成される磁界を利用して磁気ディスク１２Ａ（又は１２Ｂ）にデータを書き込む素子である。また、再生素子は、スピンバルブ膜やトンネル接合膜の抵抗変化を利用して磁気ディスク１２Ａ（又は１２Ｂ）からデータを読み出す巨大磁気抵抗効果素子（ＧＭＲ）やトンネル接合磁気抵抗効果素子（ＴＭＲ）などの素子である。
【００２６】
ヘッドサスペンション４０Ａ〜４０Ｄは、その＋Ｙ側の先端部におけるいわゆるジンバルばね（不図示）の働きで、各ヘッドスライダ１６Ａ〜１６Ｄを片持ち支持する。このうち、ヘッドスライダ１６Ａには、磁気ディスク１２Ａの表面又は裏面に向かってヘッドサスペンション４０Ａからの押し付け力が作用し、一方、磁気ディスク１２Ａが回転すると、当該回転に応じて磁気ディスク１２Ａ表面で生成される気流の働きでヘッドスライダ１６Ａに対して浮力が作用する。そして、この浮力と、前述した押し付け力とのバランスで磁気ディスク１２Ａの回転中に比較的高い剛性でヘッドスライダ１６Ａが浮上し続けるようになっている。なお、説明は省略するが、その他のヘッドサスペンション４０Ｂ〜４０Ｄも同様の作用を有している。このようなヘッドスライダ１６Ａ〜１６Ｄの浮上中にＨＳＡ２０が軸受部材１８を中心に揺動することにより、記録再生ヘッドを磁気ディスク１２Ａ，１２Ｂ上の所望の記録トラックに位置決めすることができる。
【００２７】
ヘッドＩＣ５２は、図２（ａ）、図２（ｂ）に示すように、ハウジング部３０の＋Ｘ側に固定された配線パターンや端子５３等が形成されたフレキシブル基板５９上に実装されている。フレキシブル基板５９には、ＨＤＤ１００のプリント基板に接続されたフレキシブルケーブルコネクタ（不図示）が接続され、ヘッドＩＣ５２はプリント基板上のハードディスクコントローラと電気的に接続されている。
【００２８】
また、フレキシブル基板５９上の端子５３には、ロングテール（信号中継部材）５５Ａ〜５５Ｄの一端がそれぞれ接続されている。これらロングテール５５Ａ〜５５Ｄの他端は、ヘッドスライダ１６Ａ〜１６Ｄにそれぞれ接続されている。ロングテール５５Ａ〜５５Ｄは、例えば、厚さ２０μｍ程度のステンレス製薄板からなり、その薄板表面には、絶縁膜を介して磁気ヘッド、ヘッドＩＣ間で信号をやりとりするための信号線が薄膜状に形成されている。これらロングテール５５Ａ〜５５Ｄは、図２（ａ）に示すように、キャリッジアーム３６Ａ〜３６Ｃの＋Ｘ側の側壁部分（Ｖ字状の凹部（スリット）３６Ａｂ〜３６Ｃｂ）に固定される押さえ部材６０Ａ〜６０Ｃにより押さえ付けられる。
【００２９】
図４は、押さえ部材６０Ａ〜６０Ｃの斜視図である。押さえ部材６０Ａ〜６０Ｃは、例えば樹脂から成り、図４に示すように、そのＸＺ断面が概略Ｈ字状の形状を有している。より具体的には、押さえ部材６０Ａ〜６０Ｃは、ＸＺ断面略二等辺三角形状でＹ軸方向に延びる凸部（嵌合部）７２と、凸部７２を挟んで上下対称に設けられた一対のアーム部７４Ａ，７４Ｂと、アーム部７４Ａ，７４Ｂそれぞれの＋Ｘ側に連設された取っ手部７８Ａ，７８Ｂと、を有している。
【００３０】
凸部７２は、Ｙ軸方向に延びる第１面（＋Ｚ側の面）７２ａと、第２面（−Ｚ側の面）７２ｂとを有しており、キャリッジアーム３６Ａ〜３６Ｃに設けられた凹部３６Ａｂ〜３６Ｃｂと嵌合する形状を有している。
【００３１】
アーム部７４Ａの−Ｘ側端部及びアーム部７４Ｂの−Ｘ側端部には、第２係合部（押さえ部材側係合部）としての爪部７６Ａ、７６Ｂが−Ｚ方向、＋Ｚ方向に向けて突設されている。爪部７６Ａ，７６Ｂは、上下方向（Ｚ軸方向）に関して、対称な配置となっている。
【００３２】
取っ手部７８Ａは、その上面がアーム部７４Ａの上面と面一な状態で、凸部７２の＋Ｘ側に設けられている。また、取っ手部７８Ｂは、その下面がアーム部７４Ｂの下面と面一な状態で、凸部７２の＋Ｘ側に設けられている。
【００３３】
上記のように構成される押さえ部材６０Ａ〜６０Ｃは、以下のようにして、キャリッジアーム３６Ａ〜３６Ｃに取り付けられる。
【００３４】
すなわち、押さえ部材６０Ａをキャリッジアーム３６Ａに取り付ける場合には、図５（ａ）に示すように、キャリッジアーム３６Ａのスリット３６Ａｂ内にロングテール５５Ａを配置した状態で、押さえ部材６０Ａを矢印Ａ方向に移動させる。この場合、押さえ部材６０Ａのアーム部７４Ａ，７４Ｂが弾性変形しながら移動し、図５（ｂ）に示すように、爪部７６Ａ，７６Ｂが長円穴３６Ａａの角部（エッジ部）に引っ掛かることにより、押さえ部材６０Ａがキャリッジアーム３６Ａに固定される。この固定状態では、図５（ｂ）に示すように、凸部７２の第２面７２ｂ（下側の面）と、この面７２ｂに対向する凹部（スリット）３６Ａｂの面（凹部３６Ａｂを形成する面）との間にロングテール５５Ａが挟まる。これにより、押さえ部材６０Ａとキャリッジアーム３６Ａとの間で、ロングテール５５Ａを押さえる（固定する）ことができる。
【００３５】
また、同様に、押さえ部材６０Ｂをキャリッジアーム３６Ｂに取り付ける場合には、図５（ｃ）に示すように、キャリッジアーム３６Ｂのスリット３６Ｂｂ内にロングテール５５Ｂ、５５Ｃを配置した状態で、押さえ部材６０Ｂを矢印Ａ方向に移動させる。これにより、図５（ｄ）に示すように、押さえ部材６０Ｂの爪部７６Ａ，７６Ｂが、長円穴３６Ｂａの角部（エッジ部）に引っ掛かり、押さえ部材６０Ｂがキャリッジアーム３６Ｂに固定される。この固定状態では、図５（ｄ）に示すように、凸部７２の第１面７２ａ（上側の面）と、この面に対向するスリット３６Ｂｂの面との間にロングテール５５Ｂが挟まり、凸部７２の第２面７２ｂ（下側の面）と、この面に対向するスリット３６Ｂｂの面との間にロングテール５５Ｃが挟まる。したがって、押さえ部材６０Ｂとキャリッジアーム３６Ｂとの間で、ロングテール５５Ｂ，５５Ｃを押さえる（固定する）ことができる。
【００３６】
更に、押さえ部材６０Ｃをキャリッジアーム３６Ｃに取り付ける場合には、図５（ｅ）に示すように、キャリッジアーム３６Ｃのスリット３６Ｃｂ内にロングテール５５Ｄを配置した状態で、押さえ部材６０Ｃを矢印Ａ方向に移動させる。この場合、図５（ｆ）に示すように、押さえ部材６０Ｃの爪部７６Ａ，７６Ｂが、長円穴３６Ｃａの角部（エッジ部）に引っ掛かり、押さえ部材６０Ｃがキャリッジアーム３６Ｃに固定される。この固定状態では、図５（ｆ）に示すように、凸部７２の第１面７２ａと、この面に対向するスリット３６Ｃｂの面との間にロングテール５５Ｄが挟まる。これにより、押さえ部材６０Ｃとキャリッジアーム３６Ｃとの間で、ロングテール５５Ｄを押さえる（固定する）ことができる。
【００３７】
ここで、本実施形態では、図６に示すように、ロングテール５５Ｂとロングテール５５Ｃとが、凸部７２を介して対向した配置となっている。このため、例えば、図６のロングテール５５Ｂの破線円部９３付近にリード信号線が配置され、破線円部９４付近にライト信号線が配置され、かつロングテール５５Ｃの破線円部９５付近にライト信号線が配置され、破線円部９６付近にリード信号線が配置されているとしても、リード信号線とライト信号線が接近したり、重なったりすることがない。これにより、ライト信号線からリード信号線へのクロストーク（インジェクション）の発生が抑制されるので、ヘッドの再生素子に過大な電流が流れることによる、ヘッドの劣化や破損を防止することが可能である。
【００３８】
次に、押さえ部材６０Ａ〜６０Ｃを、キャリッジアーム３６Ａ〜３６Ｃから取り外す方法について説明する。
【００３９】
ここで、取っ手部７８Ａ，７８Ｂは、図７（ａ）に示すように、矢印Ｂ方向の力（取っ手部７８Ａ，７８Ｂの間隔を狭める方向の力）を受けることにより、例えば、点Ｏを支点とした梃子の原理によって、爪部７６Ａ，７６Ｂの間隔が広がる方向にアーム部７４Ａ，７４Ｂを変形させる。
【００４０】
したがって、図７（ａ）に示す状態（押さえ部材６０Ａ〜６０Ｃがキャリッジアーム３６Ａ〜３６Ｃに固定されている状態）から、図７（ｂ）に示す状態（キャリッジアーム３６Ａ〜３６Ｃから取り外された状態）にするには、取っ手部７８Ａ，７８Ｂに矢印Ｂ方向の力と矢印Ｃ方向の力を与えれば良い。これらのうち、矢印Ｂ方向の力によって爪部７６Ａ，７６Ｂと長円穴（３６Ａａ〜３６Ｃａ）との係合を解除することができ、矢印Ｃ方向の力によって押さえ部材６０Ａ〜６０Ｃを＋Ｘ方向に移動させることができる。
【００４１】
本実施形態においては、ＨＤＤ１００の製造工程中、ＨＳＡ２０の組立を行った後にヘッド特性の検査を実行する。そして、この検査によりヘッド特性が不良と判定された場合には、ヘッドスライダ（１６Ａ〜１６Ｄ）及びロングテール（５５Ａ〜５５Ｄ）をキャリッジアームから取り外して、新たなものに交換する必要がある。この場合、前述したように、図７（ａ）に示す力（矢印Ｂ，Ｃ方向の力）を押さえ部材６０Ａ〜６０Ｄに作用させるのみで、押さえ部材６０Ａ〜６０Ｄを取り外すことができるので、この取り外した状態でロングテールの交換を行うことができる。したがって、従来のように、ロングテール（５５Ａ〜５５Ｄ）を接着剤等で固定する場合に比べて、ロングテールの取り外しや交換を簡易に行うことが可能となる。
【００４２】
以上詳細に説明したように、本実施形態によると、押さえ部材６０Ａ〜６０Ｃの凸部７２と、キャリッジアーム３６Ａ〜３６Ｃの凹部３６Ａｂ〜３６Ｃｂとが嵌合する際の対向面間にてロングテール５５Ａ〜５５Ｄが押さえられる。したがって、ロングテール５５Ａ〜５５Ｄは、キャリッジアーム３６Ａ〜３６Ｃと押さえ部材６０Ａ〜６０Ｃとにより挟まれた状態で押さえられるので、その移動（ずれ）が抑制される。これにより、ロングテール５５Ａ〜５５Ｄの振動の発生を抑制することができる。また、押さえ部材６０Ａ〜６０Ｃはキャリッジアーム３６Ａ〜３６Ｃに対して、長円穴３６Ａａ〜３６Ｃａと爪部７６Ａ，７６Ｂとの係合により固定されるので、係合を解除することにより、押さえ部材６０Ａ〜６０Ｃを取り外すことができる。これにより、ロングテール５５Ａ〜５５Ｃの交換等を簡易に行うことができる。また、本実施形態では、凸部７２と凹部３６Ａｂ〜３６ＣｂとをＶ字状としているので、凸部と凹部とを容易に嵌合させることができる。また、凸部７２と凹部３６Ａｂ〜３６ＣｂとをＶ字状とすることで、凸部と凹部に多少の製造誤差があったとしても、凸部と凹部の間におけるロングテール５５Ａ〜５５Ｄの押さえ付けを確実に行うことが可能である。
【００４３】
また、本実施形態のＨＤＤ１００によると、ロングテール５５Ａ〜５５Ｄの振動が抑制され、ヘッドの位置決め精度が向上するので、磁気ディスク１２Ａ，１２Ｂへのデータの書き込み精度及びディスク媒体からのデータの読み取り精度の向上、及びデータ記録の高密度化を図ることができる。また、ロングテールの交換容易化により、ＨＤＤ１００の初期不良や故障からの復旧を簡易に行うことができる。
【００４４】
また、本実施形態では、２本のロングテール５５Ｂ，５５Ｃを押さえる押さえ部材６０Ｂが、凸部７２の第１面７２ａ（＋Ｚ側の面）と、第２面７２ｂ（−Ｚ側の面）とにおいて、各ロングテールを押さえることとしているので、各ロングテールのリード信号線とライト信号線を離して配置することができる。これにより、ライト信号からリード信号へのクロストーク（インジェクション）の発生を抑制し、ヘッドの再生素子への過大な電流の流れを抑制することができ、ひいてはヘッドの劣化や故障を抑制することが可能である。
【００４５】
また、本実施形態では、押さえ部材６０Ａ〜６０Ｃの爪部７６Ａ，７６Ｂを、キャリッジアーム３６Ａ〜３６Ｃに形成された（元々形成されている）長円穴３６Ａａ〜３６Ｃａに係合させるので、シンプルな構成で、押さえ部材６０Ａ〜６０Ｃのキャリッジアーム３６Ａ〜３６Ｃへの固定を実現することができる。
【００４６】
また、本実施形態では、押さえ部材６０Ａ〜６０Ｃには、爪部７６Ａ，７６Ｂの間隔を広げるための取っ手部７８Ａ，７８Ｂが設けられているので、押さえ部材６０Ａ〜６０Ｃのキャリッジアーム３６Ａ〜３６Ｃに対する固定の解除を簡易に行うことが可能である。
【００４７】
なお、上記実施形態では、断面略Ｖ字状の凸部７２と、断面略Ｖ字状の凹部（スリット）３６Ａｂ〜３６Ｃｂとの組み合わせを採用することとしたが、これに限られるものではない。例えば、図８（ａ）に示すように、断面略矩形（コ字状）の凸部７２’と、断面略矩形（コ字状）の凹部３６ｂ’との組み合わせを採用することとしても良い。このような凸部と凹部の組み合わせを採用しても、上記実施形態と同様の効果を得ることができる。また、例えば、図８（ｂ）に示すように、曲面により構成される断面Ｕ字状の凸部７２”と、断面Ｕ字状の凹部３６ｂ”との組み合わせを採用することとしても良い。この場合、上記実施形態と同様の効果を得ることができるとともに、ロングテールが湾曲した状態を維持することができるので、ロングテール自体の剛性をより向上することができ、振動の発生を抑制することが可能となる。
【００４８】
なお、上記実施形態では、キャリッジアーム３６Ａ〜３６Ｃが凹部を有し、押さえ部材６０Ａ〜６０Ｃが凸部を有する場合について説明したが、これに限られるものではない。例えば、図９（ａ）に示すように、キャリッジアーム（３６’）側が凸部９９を有し、押さえ部材（６０’）側が凹部７９を有していても良い。このような構成を採用しても、図９（ｂ）に示すように、凸部９９と凹部７９との間でロングテールを押さえることが可能であり、かつ押さえ部材６０’をキャリッジアームから簡易に取り外すことができるので、ロングテールの交換も容易である。さらに、かかる場合の凸部９９と凹部７９の形状が断面略矩形（コ字状）や断面Ｕ字状であっても良い。
【００４９】
なお、上記実施形態では、押さえ部材６０Ａ〜６０Ｃの爪部７６ａ，７６ｂを、キャリッジアーム３６Ａ〜３６Ｃの長円穴３６Ａａ〜３６Ｃａに係合させる場合について説明したが、これに限られるものではない。例えば、図１０（ａ）に示すように、キャリッジアーム３６Ａ〜３６Ｃの上面（＋Ｚ面）及び下面（−Ｚ面）に係合溝８６Ａ，８６Ｂを形成し、図１０（ｂ）に示すように、係合溝８６Ａ，８６Ｂに爪部７６Ａ，７６Ｂを係合させて、押さえ部材６０Ａ〜６０Ｃをキャリッジアーム３６Ａ〜３６Ｃに固定することとしても良い。これにより、押さえ部材６０Ａ〜６０Ｃのアーム部７４Ａ，７４ＢのＸ軸方向の長さを短くすることができるので、ＨＳＡ２０を軽量化することができるとともに、ヘッドの位置決め精度を向上することが可能となる。
【００５０】
また、図１０（ｃ）に示すように、キャリッジアーム３６Ａ〜３６Ｃ側に突出部８８Ａ，８８Ｂを設けるとともに、押さえ部材６０Ａ〜６０Ｃのアーム部７４Ａ，７４Ｂに係合溝９８Ａ、９８Ｂを設けることとしても良い。これによっても、図１０（ａ）、図１０（ｂ）と同様の効果を得ることができる。なお、図１０（ａ）〜図１０（ｃ）に限らず、押さえ部材６０Ａ〜６０Ｃの一部とキャリッジアーム３６Ａ〜３６Ｃの一部とが係合して、キャリッジアーム３６Ａ〜３６Ｃに押さえ部材６０Ａ〜６０Ｃを固定することが可能な構造であれば、その他の構造を採用することとしても良い。
【００５１】
なお、押さえ部材６０Ａ〜６０Ｃの取っ手部７８Ａ，７８Ｂの付け根部分に、図１１（ａ）に示すような切れ込み４３ａ，４３ｂを形成しておくこととしても良い。この場合、ＨＳＡ２０の組立後、ヘッド特性の検査において良好な結果が得られた場合に、図１１（ｂ）に示すように、取っ手部７８Ａ，７８Ｂに矢印Ｄ方向の力をかけることにより、取っ手部７８Ａ，７８Ｂを除去する（取り外す）ことができる。これにより、ＨＳＡ２０の軽量化を図るとともに、磁気ディスク１２Ａ，１２Ｂの回転により生じる気流から受ける影響を抑制することが可能である。なお、この切れ込み４３ａ，４３ｂについては、押さえ部材６０Ａ〜６０Ｃに限らず、図９の押さえ部材６０’などにも適用することが可能である。
【００５２】
上述した実施形態は本発明の好適な実施の例である。但し、これに限定されるものではなく、本発明の要旨を逸脱しない範囲内において種々変形実施可能であり、上記実施形態を組み合わせた構造であってもよい。
【図面の簡単な説明】
【００５３】
【図１】一実施形態に係るＨＤＤの内部を示す平面図である。
【図２】ＨＳＡの構造を説明するための図である。
【図３】ＨＳＡ先端部の分解斜視図である。
【図４】押さえ部材を示す斜視図である。
【図５】押さえ部材とロングテールとの位置関係を示す図である。
【図６】押さえ部材とキャリッジアームとの間で２本のロングテールを押さえた場合の効果を示す図である。
【図７】取っ手部の作用を示す図である。
【図８】凸部及び凹部の変形例を示す図（その１）である。
【図９】凸部及び凹部の変形例を示す図（その２）である。
【図１０】押さえ部材とキャリッジアームとの間の係合を実現するための構造の変形例を示す図である。
【図１１】ア―ム部に切れ込みを設けた場合の変形例を示す図である。
【符号の説明】
【００５４】
１６Ａ〜１６Ｄ  ヘッドスライダ
５２  ヘッドＩＣ
３６Ａａ〜３６Ｃａ  長円穴（第１係合部、エッジ部、アーム側係合部）
３６Ａ〜３６Ｃ  キャリッジアーム
５５Ａ〜５５Ｄ  ロングテール（信号中継部材）
７６Ａ、７６Ｂ  爪部（第２係合部、押さえ部材側係合部）
６０Ａ〜６０Ｃ  押さえ部材
７２  凸部（嵌合部）
３６Ａｂ〜３６Ｃｂ  スリット（凹部）
２０  ＨＳＡ（キャリッジアーム組立体）
７２ａ  第１面
７２ｂ  第２面
７８Ａ，７８Ｂ  取っ手部
１２Ａ，１２Ｂ  ディスク媒体
１００  ＨＤＤ（ディスク装置）
【図１】
2009283115.tif 000003
【図２】
2009283115.tif 000004
【図３】
2009283115.tif 000005
【図４】
2009283115.tif 000006
【図５】
2009283115.tif 000007
【図６】
2009283115.tif 000008
【図７】
2009283115.tif 000009
【図８】
2009283115.tif 000010
【図９】
2009283115.tif 000011
【図１０】
2009283115.tif 000012
【図１１】
2009283115.tif 000013